(57)【要約】  本出願は、一対のＬＣ光ファイバーコネクタ（１０１）の挿入および除去を補助する際に使用するための、デュプレックスクリップアセンブリ（１００）の複数の実施形態を記載する。一実施形態では、本アセンブリは、フード（１０７）を有するクリップ本体（１０２）を含む。クリップ本体は、クリップ本体がＬＣコネクタに対して軸方向に移動することを可能にするように、一対のＬＣコネクタを緩く保持するように構成される中央壁、上部タブ、および下部タブを有する。フードは、クリップ本体がＬＣコネクタに対して軸方向に後方に移動させられるとき、ＬＣコネクタラッチ上のカム面に係合するように構成される。第２の実施形態では、アセンブリ（４００）は、デュプレックス筐体（４５１）および筐体カバー（４５２）を含む。デュプレックス筐体は、ＬＣコネクタが回転することを可能にするように、ＬＣコネクタを保持する。筐体カバーは、ＬＣコネクタラッチ上のカム面に係合するように構成される、最上部から突出するフード（４５９）を有する。
2014516172.tif 000002
【特許請求の範囲】
【請求項１】
一対のＬＣ光ファイバーコネクタの挿入および除去を補助する際に使用するための、デュプレックスクリップアセンブリであって、
中央壁、１組の上部タブ、および１組の下部タブを備えたクリップ本体であって、前記上部タブは、前記中央壁に垂直かつ前記下部タブに平行であり、前記中央壁、上部タブ、および下部タブは、前記クリップ本体が前記ＬＣコネクタに対して軸方向に移動することができるように、一対のＬＣコネクタおよびそこに取り付けられた光ファイバーケーブルを緩く保持するように構成された、クリップ本体と、
前記クリップ本体の最上部から突出したフードであって、前記クリップ本体が前記ＬＣコネクタに対して軸方向に後方に移動させられたとき、前記ＬＣコネクタのラッチ上のカム面に係合するように構成された、フードと、を具備している、デュプレックスクリップアセンブリ。
【請求項２】
前記クリップ本体に取り付けられたブーツを更に具備し、前記ブーツは、前記ブーツが前記クリップ本体と併せて前記光ファイバーケーブルおよびＬＣコネクタに対して軸方向に移動可能であるように、前記ＬＣコネクタに取り付けられた前記光ファイバーケーブルを緩く取り巻くように構成されている、請求項１に記載のデュプレックスクリップアセンブリ。
【請求項３】
前記ブーツは、前記クリップ本体に取り付けられた第１の末端と、前記第１の末端と反対側の第２の末端と、を備え、前記ブーツは、前記第２の末端の近傍に中央補剛部材を備えている、請求項２に記載のデュプレックスクリップアセンブリ。
【請求項４】
前記ブーツの前記第２の末端は、環状の突出部を備えている、請求項３に記載のデュプレックスクリップアセンブリ。
【請求項５】
前記ブーツは、隆起したグリップ面を更に具備している、請求項４に記載のデュプレックスクリップアセンブリ。
【請求項６】
前記フードの少なくとも一部分は手動解除レバーも形成し、該手動解除レバーは押圧されたとき前記ＬＣコネクタ上の前記ラッチに同時に係合することができる、請求項１に記載のデュプレックスクリップアセンブリ。
【請求項７】
一対のＬＣ光ファイバーコネクタの挿入および除去を補助する際に使用するための、デュプレックスクリップアセンブリであって、
デュプレックス筐体であって、各ＬＣコネクタの一部分を保持するように構成されている、デュプレックス筐体と、
筐体カバーであって、前記デュプレックス筐体および前記ＬＣコネクタに対して軸方向に移動することを可能にするように、前記デュプレックス筐体を少なくとも部分的に囲み、それを緩く保持している、筐体カバーと、
前記筐体カバーの最上部から突出したフードであって、前記筐体カバーが前記ＬＣコネクタおよびデュプレックス筐体に対して後方の軸方向に移動させられたとき、前記ＬＣコネクタのラッチ上のカム面に係合するように構成されている、フードと、を具備している、デュプレックスクリップアセンブリ。
【請求項８】
前記ＬＣコネクタに取り付けられたデュアルコア光ファイバーケーブルを部分的に囲むように構成された、ブーツを更に具備している、請求項７に記載のデュプレックスクリップアセンブリ。
【請求項９】
前記筐体カバーは、環状の突出部を含んでいる、請求項７に記載のデュプレックスクリップアセンブリ。
【請求項１０】
前記フードの少なくとも一部分は、押圧されたとき前記ＬＣコネクタ上の前記ラッチに同時に係合することができるレバーを形成している、請求項７に記載のデュプレックスクリップアセンブリ。
【発明の詳細な説明】
【技術分野】
【０００１】
本発明は、一般に、光ファイバーコネクタに、より具体的には、ＬＣタイプのコネクタのためのデュプレックスクリップアセンブリに関する。
【背景技術】
【０００２】
光ファイバーネットワークにおいて、シグナルは、しばしば一緒に対にされており、１つは伝送のためであり、１つは受信のためである。結果として、コネクタを一緒に対にし、適切な極性に配列して保つことができるアセンブリを有することはしばしば望ましい。加えて、高密度の機器に起因して、コネクタラッチを押圧するためにコネクタ筐体に到達する必要なく、コネクタを除去可能であることもまた望ましい。
【先行技術文献】
【特許文献】
【０００３】
【特許文献１】米国特許第７，６３２，１２５号明細書
【発明の概要】
【発明が解決しようとする課題】
【０００４】
本出願は、一対のＬＣ光ファイバーコネクタの挿入および除去を補助する際に使用するための、デュプレックスクリップアセンブリの複数の実施形態を記載する。
【課題を解決するための手段】
【０００５】
一実施形態では、アセンブリは、フードを有するクリップ本体を含む。クリップ本体は、クリップ本体がＬＣコネクタに対して軸方向に移動することを可能にするように、一対のＬＣコネクタを緩く保持する中央壁、上部タブ、および下部タブを有するように構成される。フードは、クリップ本体がＬＣコネクタに対して軸方向に後方に移動させられるとき、ＬＣコネクタラッチ上のカム面に係合するように構成される。
【０００６】
第２の実施形態では、アセンブリは、デュプレックス筐体および筐体カバーを含む。デュプレックス筐体は、ＬＣコネクタが回転することを可能にするように、ＬＣコネクタを保持する。筐体カバーは、ＬＣコネクタラッチ上のカム面に係合するように構成される、最上部から突出するフードを有する。
【図面の簡単な説明】
【０００７】
【図１】ＬＣデュプレックスクリップアセンブリの第１の実施形態の斜視図である。
【図２】ブーツがクリップ本体から取り外された、図１のＬＣデュプレックスクリップアセンブリの斜視図である。
【図３】図１のＬＣデュプレックスクリップアセンブリのクリップ本体の斜視図である。
【図４】図１のＬＣデュプレックスクリップアセンブリのブーツの斜視図である。
【図５】図１のＬＣデュプレックスクリップアセンブリのクリップ本体からのＬＣコネクタの除去を示す斜視図である。
【図６】ポート中に挿入され、ＬＣコネクタラッチがポートと係合された、図１のＬＣデュプレックスクリップアセンブリの断面図である。
【図７】クリップ本体およびブーツがＬＣコネクタおよびケーブルに対して軸方向に後方に移動させられていることに起因して、ＬＣコネクタラッチが係合解除された、図１のＬＣデュプレックスクリップアセンブリの断面図である。
【図８】ＬＣデュプレックスクリップアセンブリの第２の実施形態の斜視図である。
【図９】中央補剛部材をよりよく示すためにケーブルがＬＣコネクタから切断された、図８のＬＣデュプレックスクリップアセンブリの斜視図である。
【図１０】図８のＬＣデュプレックスクリップアセンブリの側面図である。
【図１１】図１０の線Ｚ−Ｚに沿って取られた、図８のＬＣデュプレックスクリップアセンブリの断面図である。
【図１２】ブーツの側面が、ブーツの係合機構をクリップ本体の係合機構から係合解除するために押し込められた、図１０の線Ｚ−Ｚに沿って取られた、図８のＬＣデュプレックスクリップアセンブリの断面図である。
【図１３】フードの一部分が手動解除レバーを形成する、ＬＣデュプレックスクリップアセンブリの第３の実施形態の斜視図である。
【図１４】ＬＣデュプレックスクリップアセンブリの第４の実施形態の分解斜視図である。
【図１５】図１４のＬＣデュプレックスクリップアセンブリの底部斜視図である。
【図１６】図１４のＬＣデュプレックスクリップアセンブリの側面図である。
【図１７】筐体カバーがＬＣコネクタおよびデュプレックス筐体に対して軸方向に後方に移動させられていることに起因して、ＬＣコネクタラッチが押圧された、図１４のＬＣデュプレックスクリップアセンブリの側面図である。
【図１８】フードの一部分が手動解除レバーを形成する、ＬＣデュプレックスクリップアセンブリの第５の実施形態の斜視図である。
【図１９】手動解除レバーが部分的に除去された、図１８のＬＣデュプレックスクリップアセンブリの斜視図である。
【図２０】図１８のＬＣデュプレックスクリップアセンブリの側面図である。
【図２１】図１８のＬＣデュプレックスクリップアセンブリの断面図である。
【図２２】ＬＣデュプレックスクリップアセンブリの第６の実施形態の斜視図である。
【図２３】ＬＣデュプレックスクリップアセンブリの第７の実施形態の斜視図である。
【図２４】図２３のＬＣデュプレックスクリップアセンブリの側面図である。
【図２５】ＬＣデュプレックスクリップアセンブリの第８の実施形態の斜視図である。
【図２６】図２５のＬＣデュプレックスクリップアセンブリの底部斜視図である。
【図２７】図２５のＬＣデュプレックスクリップアセンブリの側面図である。
【図２８】ロックイン解除ツールが挿入された、図２５のＬＣデュプレックスクリップアセンブリの斜視図である。
【図２９】ＬＣデュプレックスクリップアセンブリの第９の実施形態の分解斜視図である。
【発明を実施するための形態】
【０００８】
図１〜７は、ＬＣデュプレックスクリップアセンブリ１００の第１の実施形態を示す。アセンブリは、一対のＬＣコネクタ１０１、クリップ本体１０２、およびブーツ１０３を含む。
【０００９】
図３に最もよく示されるように、クリップ本体１０２は、中央壁１０６によって接続される、１組の上部タブ１０４および１組の下部タブ１０５を有する。１組の上部タブ１０４は、中央壁１０６に垂直かつ１組の下部タブ１０５に平行である。上部タブ１０４および下部タブ１０５は、クリップ本体１０２がＬＣコネクタ１０１に対して軸方向に移動することを可能にするように、中央壁１０６の両側上のＬＣコネクタ１０１を緩く保持するように構成される。クリップ本体はまた、フード１０７も有する。フード１０７は、クリップ本体１０２の最上部から突出する。フード１０７は、ブーツ１０３およびクリップ本体１０２がＬＣコネクタ１０１に対して軸方向に後方に移動させられるとき、ＬＣコネクタラッチ１０８上のカム面１０９に係合するように構成される。
【００１０】
ブーツ１０３は、クリップ本体１０２に取り付き、またブーツ１０３がケーブル１１０およびＬＣコネクタ１０１に対して軸方向に移動することを可能にするように、ケーブル１１０を緩く取り巻くように設計される。図１〜７に示される実施形態では、ブーツ１０３は、クリップ本体１０２およびブーツ１０３上の係合機構１１１、１１２を介して、クリップ本体１０２に接続する。ブーツ１０３は、コネクタ除去および挿入中の握把のために十分な剛性もまた可能にしながら曲げ半径制御を可能にする、エラストマ材料から製造することができる。
【００１１】
図６および７に最もよく示されるように、ブーツ１０３およびクリップ本体１０２をＬＣコネクタに対して軸方向に後方に移動させることは、フード１０７がＬＣコネクタラッチ１０８のカム面１０９に係合することを引き起こし、それが今度はＬＣコネクタ１０１をポート１２０から係合解除する。
【００１２】
図８〜１２は、ＬＣデュプレックスクリップアセンブリ２００の第２の実施形態を示す。この実施形態は、中央補剛部材２１３をブーツ２０３に追加する。中央補剛部材２１３は、ブーツ２０３を過度にきつく握把すること等から、圧縮力がブーツ２０３に印加されるとき、ブーツ２０３の内壁がケーブル１１０上につぶれることを防止する一助となることができる。仮にブーツ２０３の壁がケーブル１１０上につぶれることが許容された場合、ブーツ２０３とケーブル１１０との間に作り出される摩擦が、クリップ本体２０２およびブーツ２０３の自由な軸方向運動を制限する可能性がある。中央補剛部材２１３は、ブーツ２０３が曲げ半径制御のために屈曲することを可能にするために、ブーツ２０３がクリップ本体２０２に接続する場所と反対側のブーツ２０３の末端に近接して位置することができる。
【００１３】
図８〜１２に示されるように、ブーツ２０３は、クリップ本体２０２およびブーツ２０３上の第２のタイプの係合機構２１１、２１２を介して、クリップ本体１０２に接続することができる。図８〜１２に示される係合機構２１１、２１２は、ブーツ２０３の側面を締め付けて係合機構２１１、２１２を係合解除させ、次いでブーツをクリップ本体２０２から引き離すことによって、ブーツ２０３がクリップ本体２０２から係合解除されることを可能にする（具体的には図１１および１２を参照されたい）。単純な除去プロセスはまた、コネクタ１０１がツールなしにクリップ本体２０２から除去され、必要な場合、デュプレックスクリップアセンブリ２００の極性を反転するために左右に切り換えられることも可能にする。
【００１４】
ブーツ２０３はまた、ブーツ２０３を握把するのを補助するために、隆起したグリップ面２１４および環状の突出部２１５も有することができる。
【００１５】
図１３は、フードの一部分が手動解除レバー３１６として動作して、ユーザが、ブーツ２０３およびクリップ本体３０２をコネクタ１０１に対して後方に移動させることによって、または手動解除レバー３１６を押圧することによってのいずれかで、ＬＣコネクタラッチ１０８をそれらのそれぞれのポートから係合解除することを可能にし得る、フード３０７を有するＬＣデュプレックスクリップアセンブリ３００の別の実施形態を示す。
【００１６】
図１４〜１７は、ＬＣデュプレックスクリップアセンブリ４００の第４の実施形態を示す。この実施形態は、デュアルコア外被ケーブル等の、２つのファイバーが単一のケーブル内に収容される事例において使用することができる。アセンブリ４００は、デュプレックス筐体４５１、筐体カバー４５２、クリンプスリーブ４５３、ブーツ４５４、および一対のＬＣコネクタ１０１を含む。
【００１７】
デュプレックス筐体４５１は、２つの半体４５１ａ、４５１ｂで形成することができ、筐体半体と一体のバックボーン４５５を有することができるか（図１４に示されるように）、またはそれは筐体半体４５１ａ、４５１ｂによって捕捉される別個の片であり得る。デュプレックス筐体４５１は、ＬＣコネクタ１０１がデュプレックス筐体４５１に対して回転することを可能にするように、ＬＣコネクタ１０１を保持するように構成される。ケーブル４５８の光ファイバー４５６は、コネクタ１０１で終端となり、ケーブル４５８のケブラー繊維４５７は、クリンプスリーブ４５３を介してデュプレックス筐体４５１に固定することができる。
【００１８】
筐体カバー４５２は、最上部から突出するフード４５９を有し、また筐体カバー４５２がＬＣコネクタ１０１およびデュプレックス筐体４５１に対して軸方向に移動することを可能にするように、デュプレックス筐体４５１およびＬＣコネクタ１０１を緩く保持するように構成される。筐体カバー４５２はまた、筐体カバー４５２を握把するのを補助することを助けるために、環状の突出部４６４も有することができる。
【００１９】
図１６および１７に最もよく示されるように、筐体カバー４５２をＬＣコネクタ１０１およびデュプレックス筐体４５１に対して軸方向に後方に移動させることは、筐体カバー４０３のフード４５９がＬＣコネクタラッチ１０８上のカム面１０９に係合することを引き起こし、それが今度はＬＣコネクタ１０１をポート１２０から係合解除することを可能にする。
【００２０】
必要な場合、ＬＣデュプレックスアセンブリ４００は、筐体カバー４５２の側面を締め付けて底部スナップ４６０を係合解除させ、筐体カバー４５２をデュプレックス筐体４５１およびＬＣコネクタ１０１から後退させ、ＬＣコネクタ１０１の各々をデュプレックス筐体４５１に対して１８０度回転させ、筐体カバー４５２をデュプレックス筐体４５１に対して１８０度回転させ、筐体カバー４５２をデュプレックス筐体４５１上へと前方に押すことによって、現場において簡便に反転することができる。
【００２１】
図１８〜２１は、ＬＣデュプレックスアセンブリ５００の第５の実施形態を示す。この実施形態は、ユーザが、筐体カバー５５２をコネクタに対して後方に移動させることによって、または手動解除レバー５６１を押圧することによってのいずれかで、ＬＣコネクタ１０１をそれらのそれぞれのポートから係合解除することを可能にするために、筐体カバー５５２のフードの一部分５５９が手動解除レバー５６１としても使用され得ることを除いて、第４の実施形態と同様である。一実施形態では、手動解除レバー５６１は、フード５５９の残りの部分上の定置にスナップ嵌めすることができる。
【００２２】
図２２は、ＬＣデュプレックスアセンブリ６００の第６の実施形態を示す。この実施形態は、フードを有さない筐体カバー６５２を有し、またデュプレックス筐体およびコネクタに対して軸方向に移動するようには設計されない。筐体カバー６５２は、他の実施形態にあるように、側面支持を提供し、コネクタ１０１が回転することを防止するように設計することができる。
【００２３】
図２３〜２４は、ＬＣデュプレックスアセンブリ７００の第７の実施形態を示す。この実施形態は、それが、筐体カバー７５２の最上部から延在する手動解除レバー７６１を有することを除いて、第６の実施形態と同様である。
【００２４】
図２５〜２８は、ＬＣデュプレックスアセンブリ８００の第８の実施形態を示す。この実施形態もまた、筐体カバー８５２が、参照によりその全体が本明細書に組み込まれる特許文献１に記載されるものと同様のロッキングアセンブリ８７０を有することを除いて、第６の実施形態と同様である。
【００２５】
図２９は、ＬＣデュプレックスクリップアセンブリ９００の第９の実施形態を示す。この実施形態は、デュプレックス筐体９５１が、コネクタ１０１がデュプレックス筐体９５１に対して回転することを可能にしないことを除いて、第６の実施形態と同様である。
【００２６】
この実施形態９００もまた、筐体カバー６５２をデュプレックス筐体９５１から後退させ、各コネクタ１０１をデュプレックス筐体９５１から外して摺動させ、各コネクタ１０１をデュプレックス筐体９５１に対して１８０度回転させ、ＬＣコネクタ１０１を再びデュプレックス筐体９５１の中へと摺動させ、筐体カバー６５２をデュプレックス筐体９５１に対して１８０度回転させ、筐体カバー６５２を再びデュプレックス筐体９５１の上へと摺動させることによって、現場において簡便に反転することができる。
【００２７】
本発明の特定の実施形態および適用が例証され、記載されたが、本発明が本明細書に開示される精密な構造および構成に限定されないこと、ならびに記載される本発明の趣旨および範囲から逸脱することなく種々の修正、変更、および変形が前述から明らかであり得ることが理解されよう。
【符号の説明】
【００２８】
１００，２００，３００，４００，５００，６００，７００，８００，９００  ・・・ＬＣデュプレックスアセンブリ
１０１  ・・・ＬＣコネクタ
１０２，２０２，３０２  ・・・クリップ本体
１０３，２０３，４５４  ・・・ブーツ
１０４  ・・・上部タブ
１０５  ・・・下部タブ
１０６  ・・・中央壁
１０７，３０７，５５９  ・・・フード
１０８  ・・・ＬＣコネクタラッチ
１０９  ・・・カム面
１１０，４５８  ・・・ケーブル
１１１，１１２，２１１，２１２  ・・・係合機構
２１３  ・・・中央補剛部材
３１６，５６１，７６１  ・・・手動解除レバー
４０３  ・・・筐体カバー
４５１，９５１  ・・・デュプレックス筐体
４５２，５５２，６５２，９５２  ・・・筐体カバー
４５３  ・・・クリンプスリーブ
４５５  ・・・バックボーン
４５６  ・・・光ファイバー
４５７  ・・・ケブラー繊維
８７０  ・・・ロッキングアセンブリ
【図１】
2014516172.tif 000003
【図２】
2014516172.tif 000004
【図３】
2014516172.tif 000005
【図４】
2014516172.tif 000006
【図５】
2014516172.tif 000007
【図６】
2014516172.tif 000008
【図７】
2014516172.tif 000009
【図８】
2014516172.tif 000010
【図９】
2014516172.tif 000011
【図１０】
2014516172.tif 000012
【図１１】
2014516172.tif 000013
【図１２】
2014516172.tif 000014
【図１３】
2014516172.tif 000015
【図１４】
2014516172.tif 000016
【図１５】
2014516172.tif 000017
【図１６】
2014516172.tif 000018
【図１７】
2014516172.tif 000019
【図１８】
2014516172.tif 000020
【図１９】
2014516172.tif 000021
【図２０】
2014516172.tif 000022
【図２１】
2014516172.tif 000023
【図２２】
2014516172.tif 000024
【図２３】
2014516172.tif 000025
【図２４】
2014516172.tif 000026
【図２５】
2014516172.tif 000027
【図２６】
2014516172.tif 000028
【図２７】
2014516172.tif 000029
【図２８】
2014516172.tif 000030
【図２９】
2014516172.tif 000031
【国際調査報告】
2014516172.tif 000032
2014516172.tif 000033
2014516172.tif 000034
2014516172.tif 000035
2014516172.tif 000036